(57)【特許請求の範囲】
【請求項１】
放送局からのテレビジョン放送信号によるテレビジョン放送映像の画面表示又はマルチウィンドウにおける大きな主画面にテレビジョン放送映像を、且つ小さな副画面に監視カメラからの監視映像をそれぞれ表示する第１画面と、上記監視映像の画面表示又はマルチウィンドウにおける上記主画面に監視映像を、且つ上記副画面にテレビジョン放送映像をそれぞれ表示する第２画面とを、交互に切り換えてテレビジョンの表示部に表示するように制御するテレビジョン切換制御装置であって、
上記テレビジョン放送信号を受信するテレビジョン放送受信手段と、
上記監視カメラからの監視映像の信号を外部入力端子から入力させる外部信号入力手段と、
利用者の手動操作により切換指示信号を出力する表示画面切換操作手段と、
上記テレビジョン放送受信手段が受信したテレビジョン放送信号に重畳された音声多重放送信号の変化に基づき放送音声がステレオ放送又はそれ以外のものであるかを判別して、その判別結果によりテレビジョン放送信号による放送内容が本編放送およびＣＭ放送の一方から他方へ変化したのを検出するテレビジョン放送内容検出手段と、
上記テレビジョン放送内容検出手段が放送内容の変化を検出したとき、又は上記表示画面切換操作手段からの切換指示信号が入力されたときに、その時点で表示部に表示中の上記第１画面又は第２画面を他方の画面に切り換える画面切換手段とを具備していることを特徴とするテレビジョン切換制御装置。
【請求項２】
上記請求項１に記載のテレビジョン切換制御装置において、上記画面切換手段は、上記切換指示信号により上記第２画面が表示中である場合に限り、次の上記切換指示信号の入力により上記表示部の表示画面が上記第１画面に切換表示されるまでの間、上記テレビジョン放送内容検出手段による放送内容の変化の検出による切り換えを行わないよう構成されているテレビジョン切換制御装置。
【発明の詳細な説明】
【０００１】
【発明の属する技術分野】
本発明は、テレビジョン切換制御装置に関し、特に、適宜監視カメラからの映像を表示可能なテレビジョン切換制御装置に関する。
【０００２】
【従来の技術】
従来のテレビジョンにおいては、テレビジョン放送を視聴するか、監視カメラから送られる映像を視聴するかのどちらかしかできなかった。また、一般に監視カメラから注意すべき映像が送られてくることは滅多になく、長い間監視カメラからの映像を視聴し続けるのは非常に退屈である。そこで、テレビジョン放送を受信可能なテレビジョン装置に監視カメラからの映像を入力して、テレビジョン放送を視聴することにより退屈しのぎをすることが考えられる。
ここで、一般には両映像を同一のテレビジョンにて視聴しようとするときには、とりあえず一方の映像のみを視聴し、必要に応じて利用者がテレビジョンを操作して他方の映像を出力するように画面を切り換える必要があった。
【０００３】
一方、テレビジョン放送画面と監視カメラ画面とを切り換えるテレビジョン切換制御装置として、特開平第６−１１３２２６号公報に開示されている技術が知られている。同発明では、通常のテレビジョン受像器に親子画面出力装置が接続されており、同親子画面出力装置には複数のテレビジョン信号が入力され、同親子画面出力装置に備えられた操作パネルにより同テレビジョン信号を選択してテレビジョン受像器に出力可能となっている。さらに、少なくとも一つのテレビジョン信号源にはスイッチが設けられ、同スイッチが押されることによりテレビジョン画面を切り換えるための制御信号が出力され、親子画面出力装置入力される。
【０００４】
上記のような構成において、スイッチの設けられたテレビジョン信号源として監視カメラを玄関に配置しておく、そして、利用者がテレビジョン放送を視聴中に客が呼び鈴を押すと上記制御信号が出力され、同制御信号が親子画面出力装置に入力される。親子画面出力装置に同制御信号が入力されると、テレビジョン放送を出力中のテレビジョン画面に子画面が表示され、上記監視カメラからの映像が出力される。また、利用者は親子画面出力装置に設けられたパネルを操作することにより、親画面と子画面を入れ替えたり、子画面を非表示にしたりすることができる。
【０００５】
【発明が解決しようとする課題】
上述した従来のテレビジョンにおいては、次のような課題があった。
すなわち、前者においては利用者がテレビジョン放送に夢中になってしまうと長い時間監視カメラからの映像を見るのを忘れてしまうことがあった。また、監視カメラの映像を見たいときにいちいち映像切換の操作をするのは煩わしい。
さらに、特開平第６−１１３２２６号公報に開示されている技術は玄関に配置する監視カメラなどのように、客が呼び鈴を押したりして監視映像を視聴すべき時が明らかにされる種類の監視カメラには適用できるが、不審人物を監視するための監視カメラのように視野内に進入した人物からの積極的な行為が無いような監視カメラには適用できない。
本発明は、上記課題にかんがみてなされたもので、どのような監視カメラに対しても適用可能であり、かつ、利用者が何ら意識しなくても、自動でテレビジョン放送と監視カメラからの映像を切り換え可能なテレビジョン切換制御装置の提供を目的とする。
【０００６】
【課題を解決するための手段】
上記目的を達成するため、請求項１にかかる発明は、放送局からのテレビジョン放送信号によるテレビジョン放送映像の画面表示又はマルチウィンドウにおける大きな主画面にテレビジョン放送映像を、且つ小さな副画面に監視カメラからの監視映像をそれぞれ表示する第１画面と、上記監視映像の画面表示又はマルチウィンドウにおける上記主画面に監視映像を、且つ上記副画面にテレビジョン放送映像をそれぞれ表示する第２画面とを、交互に切り換えてテレビジョンの表示部に表示するように制御するテレビジョン切換制御装置であって、上記テレビジョン放送信号を受信するテレビジョン放送受信手段と、上記監視カメラからの監視映像の信号を外部入力端子から入力させる外部信号入力手段と、利用者の手動操作により切換指示信号を出力する表示画面切換操作手段と、上記テレビジョン放送受信手段が受信したテレビジョン放送信号に重畳された音声多重放送信号の変化に基づき放送音声がステレオ放送又はそれ以外のものであるかを判別して、その判別結果によりテレビジョン放送信号による放送内容が本編放送およびＣＭ放送の一方から他方へ変化したのを検出するテレビジョン放送内容検出手段と、上記テレビジョン放送内容検出手段が放送内容の変化を検出したとき、又は上記表示画面切換操作手段からの切換指示信号が入力されたときに、その時点で表示部に表示中の上記第１画面又は第２画面を他方の画面に切り換える画面切換手段とを具備する構成としてある。
【０００７】
上記のように構成した請求項１にかかる発明においては、上記テレビジョン放送受信手段が放送局からのテレビジョン放送を受信し、外部信号入力手段が監視映像の信号を外部入力端子から入力し、テレビジョン放送内容検出手段がテレビジョン放送受信手段が受信したテレビジョン放送内容の変化を検出する。そして、画面切換手段は、放送内容の変化が検出されたとき、または表示画面切換操作手段から切換指示信号が入力されたときに、画面表示中のテレビジョン放送を主とする第１画面または監視映像を主とする第２画面を他方の画面に切り換えるように制御する。
【０００８】
すなわち、テレビジョン放送においては、様々な番組が放送されており、逐次その放送内容が変化していくので、同放送内容の変化を検出して出力映像を切り換えることにより、利用者が何ら操作することなく自動で表示映像を切り換えることができる。さらに、多くの利用者が視聴したいテレビジョン放送内容のときにはテレビジョン放送を出力し、多くの利用者が特に視聴したいと思わないＣＭ放送などのテレビジョン放送内容に変化した場合に監視映像を出力するようにすることができる。
【０００９】
ここで、監視映像は所定の監視カメラにより撮像された映像であればよく、ビル内の所定位置に設置して通路等を監視する監視カメラや、店舗内に設置して回動しつつ所定範囲を監視する監視カメラなど様々な監視映像が考えられる。また、一般にはテレビジョン放送信号および監視映像の信号には映像信号と音声信号と同期信号とが含まれているが、監視映像としては画像だけで十分な場合もあり、かかる場合には監視映像にかかる音声信号を入力しない構成としてもよい。
【００１０】
上述のように利用者の趣向にあわせて映像を切り換える構成は様々な態様が考えられるが、本発明では、上記テレビジョン放送内容検出手段は、本編放送とＣＭ放送との一方から他方への変化を放送内容の変化として検出する構成としてある。すなわち、本編放送時にはテレビジョン放送を出力し、ＣＭ放送時には監視映像を出力するようにする。この結果、テレビジョン放送の本編放送を見逃すことがなく、かつ不定期的になるかもしれないが、監視カメラからの監視映像もチェックし忘れることがない。
【００１１】
このように、本発明では放送内容の変化を検出するが、放送内容の変化を検出するための構成としては様々な態様が考えられるが、本発明では、上記テレビジョン放送内容検出手段が、テレビジョン放送信号に重畳された音声多重放送信号の変化により放送内容の変化を検出する構成になっている。すなわち、本発明では、テレビジョン放送信号に重畳された音声信号のパイロット信号の変化を検出し、このパイロット信号の変化により音声放送方式の変化を識別することにより放送内容が変化したことを検出してテレビジョン放送と監視映像のどちらを出力するかを切り換える。
【００１２】
さらに詳述すると、テレビジョン放送信号に重畳された音声多重放送信号にはモノラル放送、ステレオ放送、２カ国語放送等があり、これらの音声放送方式を認識するめのパイロット信号が送信されている。また、テレビジョン放送においては番組の変化に伴って放送音声が変わることがある。従って、パイロット信号の変化を識別することにより音声信号の変化を検出すると、放送内容が変化したことが検出できるので、同放送内容の変化を検出したときに自動で映像および音声を切り換える。この結果、利用者がテレビジョン放送を視聴しているときに、テレビジョン放送の内容が変化すると、自動的に監視カメラからの監視映像および音声に切り換わる。
【００１３】
さらに、本発明では、音声多重放送信号の変化を識別して映像を切り換えるに際して、上記テレビジョン放送内容検出手段が、放送音声がステレオ放送であるかそれ以外のものであるかの別により、放送内容の変化を検出する構成としてある。すなわち、放送音声がステレオ放送以外のものからステレオ放送になったときと、放送音声がステレオ放送からそれ以外のものになったときとに放送内容が変化したと検出する。つまり、一般にＣＭ放送はステレオ放送を使用しているので、本編放送にてモノラル放送または２カ国語放送を使用している状態で、本編放送が一時中断するなどしてＣＭ放送が始まると、上記パイロット信号がステレオ放送を示すので、これを機に放送内容が変化したことを検出する。
【００１４】
さらに、上述の構成のみでは、自動で監視カメラからの監視映像に切り換えて同監視映像を監視できるものの、不測の事態が生じるなどして監視カメラからの映像を視聴したい場合もあり得る。かかる場合を考慮して、本発明では、放送内容が変化による映像の切り換えとは別に、利用者の手動操作によりテレビジョン放送を出力するか、監視映像を出力するかを切り換え可能な構成としてある。
【００１５】
すなわち、利用者が手動操作により表示画面の切換指示を与えると、表示中のテレビジョン放送による映像または監視映像が他方の映像に切り換える。この利用者の手動操作による表示画面切換操作手段としては、リモコンに映像切換ボタンを設けるなどの構成とすればよく、利用者がこの映像切換ボタンを押したときには上記切換指示が送られるようにする。そして、映像切換手段は切換指示を受け取ったときに、現在表示中の映像を他方に切り換えるようにする。
【００１６】
ここで、映像および音声の切り換えは利用者の指示により行うようにすればよいので、むろん、テレビジョン本体に操作ボタンを設けて操作するようにしてもよいし、監視カメラの近くにいる人などが他の場所から遠隔操作により指示を与えるようにしてもよい。
【００１７】
また、放送局によってはＣＭ放送がない場合もあり得るし、長い間ＣＭ放送が入らない番組があるが、この場合には、表示部にマルチウィンドウを採用すれば、監視画像が主画面または副画面の少なくとも一方に表示されているので、主画面でテレビジョン放送を視聴しているときに、副画面に表示中の監視映像を十分に観察したいと思ったときには、利用者が手動操作により表示画面の切換指示を与えれば、監視映像を主画面に表示させて、画像内容を詳細に見ることができる。
【００１８】
また、請求項２にかかる発明は、画面切換手段が、上記切換指示信号により上記第２画面が表示中である場合に限り、次の上記切換指示信号の入力により上記表示部の表示画面が上記第１画面に切換表示されるまでの間、上記テレビジョン放送内容検出手段による放送内容の変化の検出による切り換えを行わないよう構成されている。
【００１９】
上述のように構成した請求項２にかかる発明においては、例えば、利用者が不測の事態発生を察知したか、マルチウィンドウの副画面に表示中の監視映像に注意を持った場合に、表示画面切換操作手段を手動操作して第２画面に切り換えると、つまり、監視映像を画面表示させるか、監視映像を主画面に表示させると、利用者が監視映像の内容が注意を払う必要無しと納得して次に表示画面切換操作手段を手動操作する迄の間、放送の内容の変化の検出に拘わらず監視映像を主とする第２画面が表示され続けるので、利用者は監視映像を確実に、且つ納得できるまで連続して見続けることができ、監視映像を極めて効果的に活用することができる。
【００２０】
【発明の効果】
以上説明したように本発明は、テレビジョン放送と監視カメラからの監視映像とを自動的に切り換えて画面表示することが可能なテレビジョン切換制御装置を提供することができる。しかも、テレビジョン放送の本編放送を見逃すことがないとともに、監視カメラからの監視映像をチェックし忘れることもないので、非常に便利である。また、簡易な構成で放送内容がＣＭ放送に変化したことを検出することができ、さらに、利用者が手動操作により監視映像を見たいと考えた場合には、必要に応じて手動操作を行うことにより、放送内容の変化に拘わらず監視映像に切り換えることもできる。また、請求項２にかかる発明によれば、利用者の手動操作により監視映像に切り換えた場合には、利用者が監視映像の内容が注意を払う必要無しと納得して次に表示画面切換操作手段を手動操作する迄の間、放送の内容の変化の検出に拘わらず監視映像を主とする第２画面が表示され続けるので、利用者は監視映像を確実に、且つ納得できるまで連続して見続けることができ、監視映像を極めて効果的に活用することができる。
【００２１】
【発明の実施の形態】
以下、図面にもとづいて本発明の実施形態を説明する。
図１は、本発明の一実施形態にかかるテレビジョン切換制御装置を用いたテレビジョンと監視カメラの概観図を示している。
同図において、このテレビジョン１０は外部入力端子４６を備えており、同外部入力端子４６には監視カメラ３０が接続され、監視映像が入力される。また、テレビジョン１０は主画面と副画面とからなるマルチウィンドウで映像を表示可能であり、同図においては主画面でテレビジョン放送を視聴するとともに、副画面で監視映像を視聴しているところを示している。
【００２２】
リモコン２０は電源ボタンや選局ボタン等を備えるとともに、映像切換ボタン２１を備えている。そして、利用者が選局ボタンでチャンネルを選ぶことによりテレビジョン１０に選局チャンネル指示等を与えることが可能であるとともに、映像切換ボタン２１によりテレビジョン１０に主画面の映像と副画面の映像とを切り換える指示を与えることが可能となっている。
【００２３】
図２はテレビジョン１０のブロック図を示している。同図において、テレビジョン切換制御装置４０はスピーカ１１と受像管１２、およびアンテナに接続されており、外部入力端子４６を介して監視カメラ３０と接続されている。監視カメラ３０においては所定の監視位置の映像を撮影し、同映像のビデオ信号が外部入力端子４６を介してテレビジョン切換制御装置４０に入力される。
チューナ４１はマイコン４５から同調周波数を指示され、アンテナを介してテレビ放送電波を受信し、中間周波信号を出力する。この中間周波信号は中間周波信号増幅器４２にて増幅され、増幅された音声信号は音声ＩＣ４３に、映像信号は映像ＩＣ４４に入力される。
【００２４】
音声ＩＣ４３は同増幅されて入力された音声信号をフィルターで分離しつつ検波し、同入力音声信号は主チャネル信号と副チャネル信号とパイロット信号に復調される。放送音声がステレオ放送のときはパイロット信号は、９８２．５Ｈｚ信号が得られ、２カ国語放送のときはパイロット信号は９２２．５Ｈｚ信号が得られ、モノラル放送のときはパイロット信号はない。
【００２５】
従って、音声ＩＣ４３はこれらのパイロット信号により放送音声を識別し、一般には放送音声がステレオ放送のときは主チャネルの（Ｌ＋Ｒ）信号と副チャネルの（Ｌ−Ｒ）信号が加算および減算されてＬ信号とＲ信号に分離された信号がスピーカ１１に出力される。放送音声が２カ国語放送のときは主チャネル信号が主音声、副チャネル信号が副音声としてスピーカ１１に出力される。また、モノラル放送のときは副チャネル信号がなく、主チャネル信号が左右両方のスピーカから出力される。
【００２６】
映像ＩＣ４４では上記増幅されて入力された映像信号は検波された後に同期信号が分離されるとともに、映像検波出力に対して各種の信号処理が施されて受像管１２へ出力される。この結果受像管１２には映像が表示される。
さらに、マイコン４５においては音声ＩＣ４３からパイロット信号を受け取って、放送音声がステレオ放送以外のものからステレオ放送になったときと、放送音声がステレオ放送からそれ以外のものになったときとに放送内容が変化したと検出する。そして、この変化時にテレビジョン放送を出力するか、監視カメラ３０からの映像を出力するかを切り換えるように指示が出され、音声ＩＣ４３と映像ＩＣ４４の出力が切り換えられる。
【００２７】
また、利用者がリモコン２０を操作すると、当該リモコン２０から対応する赤外線リモコン信号が送出され、マイコン４５が図示しないリモコン信号受光部を介して同リモコン信号を検知する。同リモコン信号が選局指示であるときは、チューナ４１にて対応するチャンネルを選局させるべく所定のチャンネルデータを送出し、チューナ４１は同チャンネルデータに基づき所定のチャンネルのテレビジョン放送信号を選択する。また、同リモコン信号が映像切換指示であるときは、音声ＩＣ４３および映像ＩＣ４４を制御して、出力映像および音声が切り換えられる。
【００２８】
図３は本実施形態にかかるテレビジョン切換制御装置のマイコン４５の処理手順を示すフローチャートである。
同図において、ステップＳ１００では放送音声がステレオ放送以外のものからステレオ放送に変化するか否か、または、ステレオ放送からステレオ放送以外のものに変化するか否かを検出している。ステップＳ１００にて上記放送音声の変化を検出したときには、ステップＳ１２０にて現在の主画面を副画面に、副画面を主画面に切り換える。そして、ステップＳ１００に戻って処理を繰り返す。
【００２９】
ステップＳ１００にて上記放送音声の変化を検出しないときには、ステップＳ１１０で利用者から映像切換指示があるか否かを検出し、映像切換指示がないときにはステップＳ１００に戻って処理を繰り返す。ステップＳ１１０にて上記映像切換指示を検出したときには、ステップＳ１３０にて現在の主画面を副画面に、副画面を主画面に切り換える。
次にステップＳ１４０にて再び利用者から映像切換指示があるか否かを検出し、再び映像切換指示があるまでステップＳ１４０にて映像切換指示の検出を繰り返し、映像切換指示があったときにはステップＳ１５０にて再び画面を切り換えた後ステップＳ１００に戻って以上の処理を繰り返す。
【００３０】
次に、上記のように構成した本実施形態の動作について説明する。
図４は、本実施形態におけるテレビジョン放送の変化および切換指示と、画面の切り替わりとを時系列的に示している。ここで、画面１は主画面にテレビジョン放送、副画面に監視カメラの映像が映し出されている状態を示しており、画面２は主画面に監視カメラの映像、副画面にテレビジョン放送が映し出されている状態を示している。テレビジョン放送は本編が放送されている状態とＣＭが放送されている状態を示している。切換指示は利用者によって切換指示があったときをＯＮとして示している。そして、同図においては、これらのそれぞれがどちらの状態になっているかを示している。
【００３１】
同図においては、まずテレビジョン放送が本編放送をしている。ここで、時刻ｔ１においてテレビジョン放送がＣＭ放送になると、図３のステップＳ１００にて放送音声の変化を検出し、画面１から画面２に切り換わる。時刻ｔ２にてＣＭ放送が終わって本編放送になると、再び図３のステップＳ１００にて放送音声の変化を検出し、画面２から画面１に切り換わる。
【００３２】
利用者が時刻ｔ３にてリモコン２０の映像切換ボタン２１を手動操作して切換指示を与えたときには、図３のステップＳ１１０にて同切換指示を検出し、図４のようにテレビジョン放送に変化がなくても画面１から画面２に切り換わって、大きな画面である画面に監視カメラ３０の監視映像を映し出す。利用者が再び時刻ｔ５にて切換指示を与えると、図３のステップＳ１４０にて切換指示を検出し、再び画面２から画面１に切り換わる。従って、利用者が切換指示を与えたときには、図４に示すように時刻ｔ４で本編放送からＣＭ放送になって音声放送が変化しても画面が切り換わったりしない構成になっている。これにより、利用者の手動操作により監視映像に切り換えた場合には、利用者が監視映像の内容が注意を払う必要無しと納得して次に表示画面切換操作手段を手動操作する迄の間、放送の内容の変化の検出に拘わらず監視映像を主とする第２画面が表示され続けるので、利用者は監視映像を確実に、且つ納得できるまで連続して見続けることができ、監視映像を極めて効果的に活用することができる。
【００３３】
そして、時刻ｔ６にて再び本編放送がＣＭ放送に切り換わると、画面１から画面２に切り換わるなどして、以上の動作を繰り返す。ここで、本実施形態では主画面と副画面を設けて、これらの両方にテレビジョン放送と監視カメラからの映像とを映し出していたが、このようなマルチウィンドウによる構成としないことも可能である。すなわち、テレビジョン放送のみもしくは監視カメラからの映像のみを映し出すことのできるテレビジョン装置においては、放送音声の変化によって両者の映像を切り換えるように構成してもよい。
【００３４】
また、監視カメラからの映像としては、一カ所のみを対象とせず複数箇所からの映像を監視したい場合も多い。このような場合に好適な例として、図５に示すような実施形態も考えられる。同図においては、このテレビジョン２１０は外部入力端子２４６を備えており、同外部入力端子２４６には複数の監視カメラ２３１，２３２等が接続され、監視映像が入力される。
【００３５】
そして、テレビジョン放送の本編放送時にＣＭ放送に切り換わったときや利用者からの映像切換指示があったときには、同図に示すようにマルチウィンドウによって複数の監視カメラからの映像を映し出す状態に切り換わる。かかる構成によれば、一台のテレビジョン装置にて複数の監視カメラからの映像を視聴することができるので複数のテレビジョン装置を用意する必要がなく、設置コストを低減できる。
【００３６】
このように、テレビジョン装置に外部入力端子から監視カメラからの映像を入力し、テレビジョン放送の放送音声の変化により放送内容の変化を検出し、この放送内容の変化に応じて、テレビジョン放送と監視カメラからの映像とで画面を切り換えるので、利用者が何ら映像切換を意識しなくても自動でテレビジョン放送と監視カメラからの映像とを切り換えることができる。
【図面の簡単な説明】
【図１】本発明の一実施形態にかかるテレビジョン切換制御装置を用いたテレビジョンと監視カメラの概観図である。
【図２】同上の実施形態にかかるテレビジョン切換制御装置を用いたテレビジョンの構成を示すブロック図である。
【図３】同上の実施形態にかかるテレビジョン切換制御装置が行う処理を示すフローチャートである。
【図４】同上の実施形態おけるテレビジョン放送の変化と切換指示と画面の切り替わりとの時系列的変化を示す図である。
【図５】本発明の他の実施形態にかかるテレビジョン切換制御装置を用いたテレビジョンと監視カメラの概観図である。
【符号の説明】
１０…テレビジョン
１１…スピーカ
１２…受像管（表示部）
２０…リモコン（表示画面切換操作手段）
３０…監視カメラ
４０…テレビジョン切換制御装置
４１…チューナ（テレビジョン放送受信手段）
４２…中間周波信号増幅器
４３…音声ＩＣ
４４…映像ＩＣ
４５…マイコン（テレビジョン放送内容検出手段、画面切換手段、外部信号入 力手段）
４６…外部入力端子
【図１】
0003599090.tif 000002
【図２】
0003599090.tif 000003
【図３】
0003599090.tif 000004
【図４】
0003599090.tif 000005
【図５】
0003599090.tif 000006